(57)【要約】 【課題】  通話中にユーザがＩＰ電話で通話中であるか否かを容易に知ることを可能とする電話機を提供する。【解決手段】  電話機は、ＩＰ網（インターネット）を経由したいわゆるＩＰ電話による通話が可能であり、ユーザが通話のために発信したときに、ＩＰ電話対応機器からトーン信号を検出する。このトーン信号は、通話経路がＩＰ網及び／又は電話回線網を経由する経路パターンに応じて異なる。よって、電話機は、トーン信号に基づいて、当該通話がどの経路を経由しているか、特にＩＰ網を経由したＩＰ電話通話となっているか否かを判定することができる。そして、ＩＰ電話通話中であると判定された場合には、電話機は、その旨を示すＩＰ電話通話中表示を表示部などに表示する。これにより、ユーザは、自分が行っている通話が、低料金のＩＰ電話通話であるか否かを通話中いつでも容易に確認することができる。【選択図】      図４
2005333330.tif 000002
【特許請求の範囲】
【請求項１】
通話のための発信時にＩＰ電話対応機器が発するトーン信号を検出する検出部と、
検出された前記トーン信号に基づいて、前記通話がＩＰ網を経由しているか否かを判定する判定部と、
前記通話がＩＰ網を経由していると判定された場合に、前記ＩＰ網を利用した通話中であることを示すＩＰ電話通話中表示を行う表示部と、を備えることを特徴とする電話機。
【請求項２】
前記判定部は、前記トーン信号のパターンに基づいて、前記通話がＩＰ網を経由しているか否かを判定することを特徴とする請求項１に記載の電話機。
【請求項３】
前記電話機はコードレス電話機であり、前記検出部及び前記判定部は親機に設けられており、前記表示部は前記親機及び子機に設けられていることを特徴とする請求項１又は２に記載の電話機。
【請求項４】
前記親機は、
前記通話がＩＰ網を経由しているときに、ＩＰ電話通話中通知を前記子機に送信する手段と、
前記通話が終了したときに、通話終了通知を前記子機に送信する手段と、を備え、
前記子機の表示部は、前記ＩＰ電話通話中通知を受信したときに前記ＩＰ電話通話中表示を行い、前記通話終了通知を受信したときに前記ＩＰ電話通話中表示を解除することを特徴とする請求項３に記載の電話機。
【発明の詳細な説明】
【技術分野】
【０００１】
本発明は、ＩＰ（Internet Protocol）電話に使用可能な電話機に関する。
【背景技術】
【０００２】
近年、インターネットの普及により、従来の電話回線網を使用した電話（以下、「加入電話」と呼ぶ。）に加えて、インターネットを利用したＩＰ電話サービス（以下、「ＩＰ電話」と呼ぶ。）が普及している。現在、ＩＰ電話サービスの形態としては、モデムに接続された一般電話機から発信されたダイヤルを、モデムに内蔵されたＩＰ電話機能が認識することによって、ＩＰ電話発信か、加入電話発信かが判定される。また、一般に、ＩＰ電話で発信した方が、通話料金は安く設定されている。
【０００３】
ＩＰ電話を利用する際、ユーザがＩＰ電話として通話しているのか、加入電話として通話しているのかを知る手段としては、モデム端末のＬＥＤの点灯によりＩＰ電話使用中であることを表示する方法、又は、発信時に一般電話機へ可聴音を発してユーザに告知する方法が採用されている。しかし、モデム端末の設置場所によっては、ユーザは通話中にモデム端末のＬＥＤ点灯などを確認しにくい。また、発信時に可聴音が１回しか鳴らない場合などは、ユーザはそれを聞き逃す可能性がある。よって、ユーザは現在の通話が低料金のＩＰ電話であるのか、それとも加入電話であるのかがわからず、料金に対する不安を感じながら通話を続けることとなり、不便である。
【０００４】
なお、ＩＰ電話に関連する文献として、特許文献１及び２などがある。
【０００５】
【特許文献１】特開２００３−１３４１７２号公報
【特許文献２】特開２００３−１８８９９２号公報
【発明の開示】
【発明が解決しようとする課題】
【０００６】
本発明が解決しようとする課題には上記のようなものが例として挙げられる。本発明は、通話中にユーザがＩＰ電話で通話中であるか否かを容易に知ることを可能とする電話機を提供することを課題とする。
【課題を解決するための手段】
【０００７】
請求項１に記載の発明は、電話機であって、通話のための発信時にＩＰ電話対応機器が発するトーン信号を検出する検出部と、検出された前記トーン信号に基づいて、前記通話がＩＰ網を経由しているか否かを判定する判定部と、前記通話がＩＰ網を経由していると判定された場合に、前記ＩＰ網を利用した通話中であることを示すＩＰ電話通話中表示を行う表示部と、を備えることを特徴とする。
【発明を実施するための最良の形態】
【０００８】
本発明の好適な実施形態では、電話機は、通話のための発信時にＩＰ電話対応機器が発するトーン信号を検出する検出部と、検出された前記トーン信号に基づいて、前記通話がＩＰ網を経由しているか否かを判定する判定部と、前記通話がＩＰ網を経由していると判定された場合に、前記ＩＰ網を利用した通話中であることを示すＩＰ電話通話中表示を行う表示部と、を備える。
【０００９】
上記の電話機は、ＩＰ網（インターネット）を経由したいわゆるＩＰ電話による通話が可能であり、ユーザが通話のために発信したときに、ＩＰ電話対応機器からトーン信号を検出する。このトーン信号は、通話の経路がＩＰ網及び／又は電話回線網をどのように経由するかに応じて異なる。よって、電話機は、トーン信号に基づいて、当該通話がどの経路を経由しているか、特にＩＰ網を経由したＩＰ電話通話となっているか否かを判定することができる。そして、ＩＰ電話通話中であると判定された場合には、電話機は、その旨を示すＩＰ電話通話中表示を表示部などに表示する。これにより、ユーザは、自分が行っている通話が、低料金のＩＰ電話通話であるか否かを通話中いつでも容易に確認することができる。
【００１０】
上記の電話機の一態様では、前記判定部は、前記トーン信号のパターンに基づいて、前記通話がＩＰ網を経由しているか否かを判定することができる。トーン信号は、通話の経路毎に異なるパターンを有するので、そのパターンを判別することにより、ＩＰ網を経由したＩＰ電話通話中であるか否かを容易かつ正確に判別することができる。
【００１１】
好ましくは、前記電話機はコードレス電話機であり、前記検出部及び前記判定部は親機に設けられており、前記表示部は前記親機及び子機に設けられている。また、好適な実施例では、前記親機は、前記通話がＩＰ網を経由しているときに、ＩＰ電話通話中通知を前記子機に送信する手段と、前記通話が終了したときに、通話終了通知を前記子機に送信する手段と、を備え、前記子機の表示部は、前記ＩＰ電話通話中通知を受信したときに前記ＩＰ電話通話中表示を行い、前記通話終了通知を受信したときに前記ＩＰ電話通話中表示を解除する。
【００１２】
これにより、ＩＰ電話通話中表示は親機のみならず、子機においても行われるので、ユーザは親機、子機のいずれの端末を使用して通話する場合でも、ＩＰ電話通話中であるか否かを容易に確認することができる。
【実施例】
【００１３】
以下、本発明の好適な実施例を図面に基づいて説明する。なお、以下の実施例は、本発明をコードレス電話機に適用した例を示すが、これは本発明の適用をコードレス電話機に限定することを意図するものではない。
【００１４】
［基本構成］
図１に、本発明の実施例に係るコードレス電話機の全体構成を示す。図示のように、コードレス電話機１００は、１つの親機１１０ａと、１つ又は複数の子機１１０ｂとを備える。親機１１０ａは外部の電話回線網１０３と接続されている。なお、親機１１０ａはＡＤＳＬモデムなどを介してＩＰ網（インターネット）にも接続されるが、これについては後述する。
【００１５】
また、親機１１０ａは、子機１１０ｂと無線通信を行うことにより、必要な電話帳データや各種の設定データなどを授受する。さらに、親機１１０ａと子機１１０ｂとの通信により、ユーザは子機１１０ｂを利用して外部と通話することができる。
【００１６】
まず、親機１１０ａの構成について説明する。図２は、コードレス電話機１００の親機１１０ａの概略構成を示すブロック図である。
【００１７】
図２において、親機１１０ａは、検波回路１と、回線制御回路２と、通話回路３と、ＤＳＰ（Digital Signal Processor）４と、無線送受信回路５と、アンテナ６と、ＣＰＵ７と、キースイッチ８と、ＣＰＵ７に接続されたドライバ９と、ドライバ９によって駆動される液晶パネルや有機ＥＬなどのディスプレイ１０とを備えている。
【００１８】
検波回路１は、外線接続端子Ｌ１、Ｌ２に入力される外線着信信号および受信信号を検波する。回線制御回路２は電話機と外線との回線接続を制御し、通話回路３は回線制御回路２を介して入力されてくる受信信号の後述する他の回路への送出や外線への送話信号の送出を行う。ＤＳＰ４は、通話回路３を介して入力されてくる受信信号や外線に送出する送話信号の音声処理を行うとともに、ＣＰＵ７に対してモデムとして機能する。無線送受信回路５は、子機との間でＭＣＡ（マルチ・チャンネル・アクセス）方式による無線通話回路を形成する。アンテナ６は、子機との間で無線の送受信を行うために使用される。
【００１９】
ＣＰＵ７は、回線制御回路２、通話回路３、ＤＳＰ４、及び無線送受信回路５に接続され、各回路の作動制御を行う。また、ＣＰＵ７にはメモリなどにより構成される記憶部１１５ａが接続されており、このメモリ１１５ａは後述するように電話帳データなどを記憶する。
【００２０】
また、親機１１０ａは、外線接続端子Ｌ１、Ｌ２から入力されてくる外線着信信号を検出するリング回路１１、リング回路１１による外線着信信号の検出によって呼出音を鳴らすモニタスピーカ１２、オンフックモード時にハンズフリーによる通話を行うためのマイク１３、及び、子機を置いたままで通話するためのオンフックモードへの切り換えを行うオンフックスイッチ１４をさらに備える。
【００２１】
次に、子機１１０ｂの構成について説明する。図３は、コードレス電話機１００の子機１１０ｂの概略構成を示すブロック図である。
【００２２】
図３において、子機１１０ｂは、アンテナ２１と、無線送受信回路２２と、ＤＳＰ２３と、ＣＰＵ２４と、ＣＰＵ２４に接続されて電話番号等のデータ入力や電話機操作を行うキースイッチ２５と、ＣＰＵ２４に接続されたドライバ２６と、ドライバ２６によって駆動される液晶パネルや有機ＥＬなどのディスプレイパネル２７とを備えている。また、子機１１０ｂはさらに、マイク２８、レシーバ２９を備える。
【００２３】
アンテナ２１は、親機１１０ａとの間で無線の送受信を行うために使用される。無線送受信回路２２は、アンテナ２１を介して親機１１０ａとの間でＭＣＡ方式による無線通話回路を形成する。ＤＳＰ２３は、無線送受信回路２２を介して入力されてくる受信信号や外線に送出する送話信号の音声処理を行うとともに、ＣＰＵ２４に対してモデムとして機能する。ＣＰＵ２４は、ＤＳＰ２３および無線送受信回路２２に接続され、各回路の作動制御を行う。ＣＰＵ２４には、記憶部としてのメモリ１１５ｂが接続されており、メモリ１１５ｂは電話帳データなどを記憶する。
【００２４】
図４は、本実施例に関連する部分の概略構成を示す機能ブロック図である。図示のように、コードレス電話機１００は、親機１１０ａと子機１１０ｂがそれぞれのアンテナ部６、２１を介して通信可能とされている。
【００２５】
親機１１０ａは、主制御部１１１ａと、表示部１１２ａと、操作部１１３ａと、無線部１１４ａと、記憶部１１５ａを備えて構成される。主制御部１１１ａは、親機１１０ａを利用した通話処理に加えて、親機１１０ａから子機１１０ｂへ、または逆に子機１１０ｂから親機１１０ａへのデータの送受信処理全体にわたる必要な制御を行う。
【００２６】
表示部１１２ａは例えば液晶パネルなどにより構成され、電話番号など、電話に関する必要な情報の表示に使用される。操作部１１３ａは、ユーザが操作する操作ボタンなどにより構成される。無線部１１４ａは子機との間で必要なデータを無線通信する。
【００２７】
記憶部１１５ａは、ユーザが親機１１０ａまたは子機１１０ｂに登録した登録データを電話帳データとして記録する。また、記憶部１１５ａは、送受信の履歴データなども記憶する。
【００２８】
さらに、親機１１０ａは、回線インターフェース１１６ａと、トーン信号検出部１１７ａと、タイマー部１１８ａとを備える。回線インターフェース１１６ａは、外部の電話回線網１０３との間の通信に関する処理を行うものである。また、本実施例では、コードレス電話機１００はＩＰ電話用の電話機としても使用されるので、回線インターフェース１１６ａはＩＰ電話対応のＡＤＳＬモデム２０４に接続される。ＡＤＳＬモデム２０４は、ＩＰ網１０５及び電話回線網１０３に接続される。
【００２９】
トーン信号検出部１１７ａは、ＡＤＳＬモデム２０４から出力される特定周波数のトーン信号を検出する。ＡＤＳＬモデム２０４は、コードレス電話機１００による通話がＩＰ網１０５を経由するか、電話回線網１０３を経由するかなどに基づいて、異なるパターンのトーン信号を生成し、親機１１０ａに供給する。親機１１０ａは、このトーン信号のパターンに基づいて、ユーザの通話がＩＰ網１０５を経由した通話（以下、「ＩＰ電話通話」と呼ぶ。）であるか、電話回線網１０３を経由した通話（以下、「加入電話通話」と呼ぶ。）であるかを判定する。なお、この判定方法などについては、後に詳細に説明する。
【００３０】
タイマー部１１８ａは、トーン信号検出部１１７ａが検出したトーン信号のオン期間（特定周波数の可聴音が出力される期間であり、「ＭＡＫＥ期間」とも呼ぶ。）と、オフ期間（同可聴音が出力されない期間であり、「ＢＲＥＡＫ期間」とも呼ぶ。）の時間幅を検出する。よって、トーン信号検出部１１７ａが検出したトーン信号に含まれる複数のＭＡＫＥ期間とＢＲＥＡＫ期間の時間幅をタイマー部１１８ａが測定し、その結果に基づいて主制御部１１１ａが当該トーン信号のパターンを判定することとなる。
【００３１】
一方、子機１１０ｂは、主制御部１１１ｂと、表示部１１２ｂと、操作部１１３ｂと、無線部１１４ｂと、を備え、各部の働きは親機１１０ａのものと同様である。
【００３２】
なお、以下の説明において、親機又は子機の構成要素であって、いずれかを区別する必要が無い場合には、添え字を省略して表記する。例えば、「主制御部１１１ａ」と言った場合は親機の主制御部を指し、単に「主制御部１１１」と言った場合は親機又は子機のいずれかの主制御部を指すものとする。また、説明の便宜上、「コードレス電話機１００」を単に「電話機１００」と記すことがある。
【００３３】
次に、ＩＰ電話と加入電話の通話経路について図５を参照して説明する。図５は、ＩＰ電話に対応したコードレス電話機１００が通話を行う場合の経路を示す。具体的には、図示のように、本発明によるコードレス電話機１００から、ＩＰ電話に対応した電話機（以下、「ＩＰ電話」と呼ぶ。）２１１、一般加入電話２１２、「１１０」、「１１９」などの特殊番号２１３、及び、携帯電話の「０９０」、フリーダイヤルの「０１２０」など現状ではＩＰ電話による通話が制限されている所定の番号（以下、「除外番号」と呼ぶ）２１４にそれぞれ発信する際の通話の経路を説明する。なお、コードレス電話１００はＩＰ電話サービスを提供する特定のＡＤＳＬ通信事業者（以下、単に「通信事業者」、「キャリア」とも呼ぶ。）ＡのＩＰ電話サービスに加入しているものとする。また、通話の相手であるＩＰ電話２１１も同一の通信事業者ＡのＩＰ電話サービスに加入しているものとする。
【００３４】
まず、通話の相手が同一の通信事業者ＡのＩＰ電話２１１である場合には、基本的に通話は全てＩＰ網１０５を経由する（パターンＤ）。この場合は、一般の電話回線１０３を経由しないので加入電話の通話料金は発生しない。ＩＰ網１０５のみの通信であるので、通信事業者Ａは通話料金を非常に安価にすることができる。現実には、パターンＤのように同一通信事業者のＩＰ電話同士の通話の場合、通話料金を無料に設定している通信事業者が多い。
【００３５】
また、相手が一般加入電話２１２である場合、通話はＩＰ網１０５及び電話回線網１０３の一部を使用して行われる（パターンＢ）。具体的には、通話経路はコードレス電話機１００からＩＰ網１０５を介して一般加入電話２１２の地域に近い通信事業者Ａの端末へ到達し、そこから電話回線網１０３により電話局などを経由して一般加入電話２１２へと接続される。よって、電話回線網１０３のみを経由して一般加入電話２１２へ接続する場合と比較すると、ＩＰ網１０５を経由している分、電話回線網１０３を通過する区間が短くなるので、その分通話料金が安くなる。
【００３６】
一方、「１１０」、「１１９」などの特殊番号２１３への発信はＩＰ電話を利用することができないので、コードレス電話１００から電話回線網１０３を経由して特殊番号２１３へ接続される（パターンＡ）。
【００３７】
また、携帯電話（「080」/「090」発信）、ＰＨＳ（「070」発信）、フリーダイヤル（「0120」発信）などの所定の除外番号２１４についても、現状ではＩＰ電話が利用できないので、電話回線網１０３のみを使用して通話が行われる（パターンＣ）。
【００３８】
従って、ＩＰ網１０５を経由するパターンＢ及びＤの場合がＩＰ電話通話であり、通常の電話回線網１０３を経由する場合と比べて通話料金が安くなる。一方、パターンＡ及びＣの場合は、ＩＰ網１０５を経由しない加入電話通話であるので、通話料金は安くならない。
【００３９】
次に、各通話経路パターンを経由した場合にＡＤＳＬモデム２０４が出力するトーン信号について説明する。図６に各通話経路パターンにおけるＡＤＳＬモデム周辺の接続を示し、図７に各通話経路パターンにおけるトーン信号の波形例を示す。
【００４０】
図６（ａ）に示すパターンＡの場合、ＡＤＳＬモデム２０４は電話機１００の発信番号が「１１０」などの特殊番号であることを検出すると、その信号を電話回線網１０３へ接続する。このときＡＤＳＬモデム２０４は図７（ａ）に示す波形のトーン信号Ｓａを電話機１００へ供給する。トーン信号ＳａはＭＡＫＥ期間（オン期間）がなく、ＢＲＥＡＫ期間（オフ期間）のみの信号である。
【００４１】
図６（ｂ）に示すパターンＢの場合、ＡＤＳＬモデム２０４は電話機１００の発信番号が一般加入電話を示す「０３」、「０６」などの番号であることを検出し、その信号をＩＰ電話サーバ２０５へ送出する。ＩＰ電話サーバ２０５は、その電話番号がＩＰ電話のサービス対象であるか否かを確認し、対象である場合にＩＰ網１０５に接続する。また、ＡＤＳＬモデム２０４は、図７（ｂ）に示すトーン信号Ｓｂを電話機１００へ供給する。本例では、トーン信号Ｓｂは、図７（ｂ）に示すように特定周波数のパルス８１が４回連続する信号である。
【００４２】
また、図６（ｂ）に示すパターンＤの場合、ＡＤＳＬモデム２０４は電話機１００の発信番号がＩＰ電話を示す「０５０」などの番号であることを検出し、その信号をＩＰ電話サーバ２０５へ送出する。ＩＰ電話サーバ２０５は、その電話番号がＩＰ電話のサービス対象であるか否かを確認し、対象である場合にＩＰ網１０５に接続する。また、ＡＤＳＬモデム２０４は、図７（ｄ）に示すトーン信号Ｓｄを電話機１００へ供給する。本例では、トーン信号Ｓｄは、図７（ｄ）に示すように特定周波数のパルス８１が４回連続する期間が２回続く信号である。
【００４３】
また、図６（ｃ）に示すパターンＣの場合、ＡＤＳＬモデム２０４は電話機１００の発信番号が携帯電話の「０９０」などの除外番号であることを検出し、その信号をＩＰ電話サーバ２０５へ送出する。ＩＰ電話サーバ２０５は、その電話番号がＩＰ電話のサービス対象であるか否かを確認する。但し、現状ではそれらの所定番号はＩＰ電話サービスの対象外であるので、ＩＰ電話サーバ２０５は、ＩＰ電話サービスの対象外であるため電話回線網１０３に切り替えることを指示する信号をＡＤＳＬモデム２０４へ送出する。これに応答して、ＡＤＳＬモデム２０４は電話回線網１０３に接続する。また、ＡＤＳＬモデム２０４は、図７（ｃ）に示すトーン信号Ｓｃを電話機１００へ供給する。本例では、トーン信号Ｓｃは、図７（ｃ）に示すように特定周波数のパルス８１が４回連続した後、さらにそれよりＭＡＫＥ期間が長い１つのパルス８３を含む信号である。
【００４４】
このように、ＡＤＳＬモデム２０４は、通話経路のパターンに応じて、異なるトーン信号Ｓａ〜Ｓｄを電話機１００へ供給する。よって、電話機１００は、トーン信号のパターンを判定することにより、通話の経路を特定することができる。即ち、電話機１００は、トーン信号に基づいてＩＰ電話通話であるか否かを判定することができる。
【００４５】
次に、電話機１００よるトーン信号の判定方法について説明する。電話機１００は、前述のように、図４に示すトーン信号検出部１１７ａによりトーン信号を検出し、タイマー部１１８ａにより、トーン信号に含まれるパルスのＭＡＫＥ期間及びＢＲＥＡＫ期間の時間幅を検出して、当該トーン信号がどのパターンに対応するかを判定する。
【００４６】
具体的には、図７を参照すると、所定の期間ｔ４にわたってトーン信号を検出し、その期間ｔ４内にＭＡＫＥ期間が検出されない場合、その通話経路はパターンＡに対応することがわかる。よって、その通話は電話回線網１０３を経由した特殊番号への加入電話通話であると判定される。
【００４７】
また、時間幅ｔ１のＭＡＫＥ期間と時間幅ｔ２のＢＲＥＡＫ期間が交互に４周期検出された場合には、通話経路はパターンＢ〜Ｄのいずれかとなる。ここで、時間幅ｔ１のＭＡＫＥ期間と、時間幅ｔ２のＢＲＥＡＫ期間が交互に４周期検出された後に、ＭＡＫＥ期間が検出されない場合、図７（ｂ）に示すように通話経路はパターンＢに対応することになり、その通話はＩＰ電話通話であると判定される。
【００４８】
また、時間幅ｔ１のＭＡＫＥ期間と時間幅ｔ２のＢＲＥＡＫ期間が交互に４周期検出された後、時間幅ｔ３のＭＡＫＥ期間が１つ検出された場合、図７（ｃ）に示すように通話経路はパターンＣに対応することになり、その通話は加入電話通話であると判定される。
【００４９】
また、時間幅ｔ１のＭＡＫＥ期間と時間幅ｔ２のＢＲＥＡＫ期間が交互に４周期検出された後、再度時間幅ｔ１のＭＡＫＥ期間と時間幅ｔ２のＢＲＥＡＫ期間が交互に４周期検出された場合、図７（ｄ）に示すように通話経路はパターンＤに対応することになり、その通話はＩＰ電話通話であると判定される。
【００５０】
このようにして、コードレス電話機１００の親機１１０ａの主制御部１１１ａは、ＡＤＳＬモデム２０４から供給されるトーン信号のパターンに基づいて、ユーザによる通話がＩＰ電話通話であるか、加入電話通話であるかを判定する。そして、ＩＰ電話通話であると判定した場合には、主制御部１１１ａは、ＩＰ電話通話中であることを示すＩＰ電話通話中表示を表示部１１２ａに表示する。このＩＰ電話通話中表示としては、例えば親機１１０ａの液晶パネルなどの表示部１１２ａに「ＩＰ」の文字を表示することができる。ＩＰ電話通話中表示は、原則としてその通話が終了するまで継続的に行うことが好ましい。これにより、親機１１０ａを使用して通話しているユーザは、ＩＰ電話通話中表示を見ることにより、現在行っている通話が低料金のＩＰ電話通話であるか否かを常に確認することができる。
【００５１】
また、こうしてＩＰ電話通話中であると判定した場合に、親機１１０ａは各子機１１０ｂに対してその旨の通知を送信し、子機１１０ｂにもＩＰ電話通話中表示を行う。これにより、ユーザは子機１１０ｂを使用して通話している最中にも、子機１１０ｂの表示部１１２ｂを見ることにより、ＩＰ電話通話中であるか否かを知ることができる。最近では、家族の各々が１台ずつ子機１１０ｂを所有するなど、親機１１０ａより子機１１０ｂを使用して通話する機会が増えている。よって、子機１１０ｂの表示のみによりＩＰ電話通話中であるか否かを知ることができることはユーザにとって非常に便利である。
【００５２】
次に、トーン信号に基づく通話経路パターンの判定処理について説明する。図８に通話経路パターンの判別処理（メインルーチン）のフローチャートを示し、図９にその一部である周期計測ルーチンのフローチャートを示す。なお、この判別処理は、親機１１０ａの主制御部１１１ａが、予め用意されたプログラムを実行し、トーン信号検出部１１７ａ及びタイマー部１１８ａなどを制御することにより実現することができる。
【００５３】
図８を参照すると、まず、主制御部１１１ａは初期化処理を行う（ステップＳ１）。この初期化処理では、判別すべき各トーン信号の波形パターンデータを読み込む処理などを行う。図７においていくつかのトーン信号の波形パターンを例示したが、これらの波形パターンは、ＩＰ電話サービスを提供する通信事業者毎に異なる場合が考えられる。よって、親機１１０ａは、複数の通信事業者について、各々が使用するトーン信号の波形パターンを特定するデータ、具体的には、パルス幅、繰り返し回数などのデータを予め記憶部１１５ａに記憶しておく。そして、ユーザが親機１１０ａの初期設定時に、自分が使用する通信事業者を設定する。主制御部１１１ａは、初期化処理として、ユーザが設定した通信事業者のトーン信号の波形パターンを特定するデータを記憶部１１５ａから読み出す。
【００５４】
次に、主制御部１１１ａは周期計測処理を実行する（ステップＳ２）。周期計測処理は、トーン信号検出部１１７ａが検出したトーン信号に含まれるＭＡＫＥ期間及びＢＲＥＡＫ期間の回数及び時間幅などを計測する処理である。
【００５５】
周期計測処理について、図９を参照して説明する。まず、主制御部１１１ａは、周期計測処理のステータスがＭＡＫＥ期間の計測中であるか否かを判定する（ステップＳ２１）。これは、例えば、ＭＡＫＥ期間の計測中であることを示すＭＡＫＥ計測フラグ、ＢＲＥＡＫ期間の計測中であることを示すＢＲＥＡＫ計測フラグなどを参照することにより実行することができる。
【００５６】
ＭＡＫＥ期間の計測中である場合（ステップＳ２１；Yes）、主制御部１１１ａはトーン信号が検出されたか否かを判定する（ステップＳ２２）。トーン信号が検出されると、次に主制御部１１１ａはそのＭＡＫＥ期間が時間幅ｔ１に達したか否かを判定する（ステップＳ２４）。時間幅ｔ１に達した場合（ステップＳ２４；Yes）、図７に示すパルス８１の１つのＭＡＫＥ期間が検出されたことになり、主制御部１１１ａは、例えばＢＲＥＡＫ計測フラグをセットすることにより、周期計測処理のステータスをＢＲＥＡＫ期間の計測中に変更し（ステップＳ２５）、メインルーチンへ戻る。
【００５７】
なお、ステップＳ２２でトーン信号が検出されなかった場合、及び、ステップＳ２４で検出したＭＡＫＥ期間が時間幅ｔ１に達しなかった場合にも処理はメインルーチンへ戻る。
【００５８】
一方、ステップＳ２１で計測処理ステータスがＭＡＫＥ期間の計測中ではないと判定された場合（ステップＳ２１；No）、計測処理ステータスはＢＲＥＡＫ期間の計測中ということになる。主制御部１１１ａはトーン信号が検出されたか否かを判定し（ステップＳ２６）、検出されない場合には、そのＢＲＥＡＫ期間の時間幅がｔ２に達したか否かを判定する（ステップＳ２７）。ＢＲＥＡＫ期間の時間幅がｔ２に達した場合、図７に示すパルス８１の１周期が検出されたこととなり、主制御部１１１ａは周期計測回数を「１」増加する（ステップＳ２８）。ここで、「周期」とは、図７に示すパルス８１の周期である。
【００５９】
そして、主制御部１１１ａは、周期計測回数、即ち、パルス８１の数が初期化処理（ステップＳ１）で設定された固定周期回数（図７の波形例では４回）に達したか否かを判定する（ステップＳ２９）。周期計測回数が固定周期回数に達した場合（ステップＳ２９；Yes）、主制御部１１１ａは周期計測が完了したものとし、例えば周期計測が完了したことを示す周期計測完了フラグをセットする。一方、周期計測回数が固定周期回数に達しない場合（ステップＳ２９；No）、主制御部１１１ａは次のパルス８１を検出すべく、ＭＡＫＥ計測フラグをセットして周期計測処理のステータスをＭＡＫＥ期間の計測中に変更し（ステップＳ３１）、メインルーチンへ戻る。なお、ステップＳ２７において、ＢＲＥＡＫ期間の時間幅がｔ２に達しない場合には、そのＢＲＥＡＫ期間はパルス８１の一部ではないと判断し、パルス８１は検出されなかったものとしてメインルーチンへ戻る。
【００６０】
また、ステップＳ２６において、トーン信号があると判定された場合（ステップＳ２６；No）、それはＭＡＫＥ期間の開始を示す。よって、主制御部１１１ａはタイマー部１１８ａを制御し、そのＭＡＫＥ期間の時間幅がｔ３に達したか否かを判定する（ステップＳ３２）。そのＭＡＫＥ期間の時間幅がｔ３に達した場合、そのＭＡＫＥ期間はパルス８３のＭＡＫＥ期間であり、そのトーン信号は図７（ｃ）に示すトーン信号Ｓｃであることがわかる。よって、主制御部１１１ａは、ＩＰ電話通話ができない（ＮＧ）ことを示すフラグ（「ＩＰ電話ＮＧフラグ」と呼ぶ。）をセットすることにより、ＩＰ電話通話を不能に設定する（ステップＳ３３）。そして、処理はメインルーチンへ戻る。
【００６１】
さて、図８のメインルーチンに戻り、主制御部１１１ａは周期計測処理が時間ｔ４にわたって実行されたか否かを判定する（ステップＳ３）。時間ｔ４にわたって実行された場合、その期間中にパルス８１が検出されなかったことを意味するので、主制御部１１１ａはそのトーン信号が図７（ａ）に示すパターンＡであると判断する（ステップＳ１０）。
【００６２】
一方、時間ｔ４が経過していない場合、主制御部１１１ａは周期計測完了フラグがセットされているか否かを判定する（ステップＳ４）。ここで、図９を参照して説明したように、周期計測完了フラグがセットされているということは、周期計測処理において４個のパルス８１が連続して検出されたことを意味している。即ち、図７から理解されるように、トーン信号のパターンはパターンＢ〜Ｄのいずれかであることがわかる。よって、主制御部１１１ａは、パターンＢ〜Ｄのいずれであるかを判別すべく、周期計測回数及び周期計測完了フラグを初期化し（ステップＳ５）、再度周期計測処理を実行する（ステップＳ６）。一方、周期計測完了フラグがセットされていない場合（ステップＳ４；No）、処理はステップＳ２へ戻り、周期計測処理が継続される。
【００６３】
ステップＳ６における周期計測処理は、前述したステップＳ２における周期計測処理と同様に行われる。なお、ここでの周期計測処理は、図７に示すパターンＢ〜Ｄの波形の後半部分を判別するために実行される。そして、主制御部１１１ａは、ステップＳ６における周期計測処理が時間ｔ４にわたり継続して行われたか否かを判定する（ステップＳ７）。時間ｔ４にわたり継続して行われた場合は、その間にパルス８１又は８３が検出されなかったことになるので、主制御部１１１ａはトーン信号が図７（ｂ）に示すパターンＢであると判定する（ステップＳ１１）。
【００６４】
一方、周期計測処理が時間ｔ４にわたり継続して行われなかった場合（ステップＳ７；No）、主制御部１１１ａはＩＰ電話ＮＧフラグがセットされているか否かを判定する（ステップＳ８）。ＩＰ電話ＮＧフラグがセットされている場合は、パルス８３が検出されたことを意味し、主制御部１１１ａはトーン信号が図７（ｃ）に示すパターンＣであると判定する（ステップＳ１２）。
【００６５】
また、ＩＰ電話ＮＧフラグがセットされていない場合（ステップＳ８；No）、主制御部１１１ａは周期計測完了フラグがセットされているか否かを判定する（ステップＳ９）。周期計測完了フラグがセットされている場合、トーン信号の後半においても前半と同様に、４個のパルス８１が検出されたことになるので、主制御部１１１ａはトーン信号が図７（ｄ）に示すパターンＤであると判定する（ステップＳ１３）。
【００６６】
以上のようにして、主制御部１１１ａは、ＡＤＳＬモデム２０４から供給されたトーン信号がパターンＡ〜Ｄのいずれに対応するかを判定することができる。
【００６７】
次に、上記の判定処理により、ＩＰ電話通話中であることが検出されたときに、親機１１０ａから子機１１０ｂへその旨を通知する通知処理について、図１０を参照して説明する。図１０（ａ）は通知処理の親機側のフローチャートであり、図１０（ｂ）は通知処理の子機側のフローチャートである。なお、親機側の通知処理は親機１１０ａの主制御部１１１ａが予め用意されたプログラムを実行することにより実現することができ、子機側の通知処理は子機１１０ｂの主制御部１１１ｂが予め用意されたプログラムを実行することにより実現することができる。
【００６８】
まず、図１０（ａ）を参照すると、親機１１０ａの主制御部１１１ａは、上述の判定処理の結果により、ＩＰ電話通話中であるか否か（即ち、トーン信号がパターンＢ又はＤである否か）を判定し、ＩＰ電話通話中である場合には（ステップＳ４１；Yes）、親機１１０ａの表示部１１２ａにＩＰ電話通話中表示を行う（ステップＳ４２）とともに、ＩＰ電話通話中であることを示すＩＰ電話通話中通知を各子機へ送信する（ステップＳ４３）。なお、この際、ＩＰ電話通話中通知を送信する対象は、実際にユーザが使用している子機のみとしてもよいし、全ての子機としてもよい。
【００６９】
そして、主制御部１１１ａは、ユーザの通話が終了したか否かを検出し（ステップＳ４４）、通話が終了したときには（ステップＳ４４；Yes）、親機１１０ａのＩＰ電話通話中表示を解除する（ステップＳ４５）とともに、子機へ通話終了通知を送信する（ステップＳ４６）。なお、この通話終了通知は、ステップＳ４３でＩＰ電話通話中通知を送信した子機に対して送信すればよい。なお、ステップＳ４１において、ＩＰ電話通話中でない場合には、通知処理はそのまま終了する。
【００７０】
次に、図１０（ｂ）を参照して子機側の通知処理について説明する。子機１１０ｂはＩＰ電話通話中通知を親機１１０ａから受信したか否かを判断し（ステップＳ５１）、受信した場合には、子機１１０ｂの表示部１１２ｂにＩＰ電話通話中表示を行う（ステップＳ５２）。次に、子機１１０ｂは、親機１１０ａから通話終了通知を受信したか否かを判断し（ステップＳ５３）、受信した場合には、ＩＰ電話通話中表示を解除する（ステップＳ５４）。なお、ステップＳ５１で親機からＩＰ電話通話中通知を受信しない場合には、処理は直ちに終了する。
【００７１】
このようにして、ユーザがＩＰ電話通話中であることが検出されると、親機１１０ａ及び子機１１０ｂの表示部１１２ａ及び１１２ｂにＩＰ電話通話中表示が行われる。この表示は、ユーザの通話中に常に表示されるので、ユーザは、自分が低料金のＩＰ電話で通話しているのか否かを容易に認識することができる。
【００７２】
従って、ユーザは発信時にモデムから発せられる可聴音を聞き逃しても、親機や子機の表示部上のＩＰ電話通話中表示を見ることにより、ＩＰ電話で通話しているか否かを通話中いつでも確認することができる。また、子機においてもＩＰ電話通話中表示を行うことにより、ユーザは親機、子機のいずれを使用してもＩＰ電話通話中であることを確認できる。
【００７３】
また、ＩＰ電話サービスを提供している全ての通信事業者のトーン信号を予め調査して、出荷時に又は事後的に電話機に記憶させておくことにより、ユーザが通信事業者を変更したりした場合でも、変更後の通信事業者を電話機に設定するだけで同様の表示が可能となる。
【００７４】
さらには、上記の判別処理によりＩＰ電話通話中であるか、加入電話通話中であるかを判別できるので、電話機が通話料金表示機能を有する場合には、その判別結果を利用して正確な通話料金表示も可能となる。
【００７５】
［変形例］
上記の実施例では、ＩＰ電話通話中であると判定されたときにＩＰ電話通話中表示を行うこととし、加入電話通話中であると判定したときにはそれを示す表示を行っていない。しかし、加入電話通話中であると判定されたときに、それを示す表示を行うこととしてもよい。例えば、ＩＰ電話通話中表示として表示部１１２に「ＩＰ」の文字を表示し、加入電話通話中表示として表示部１１２に「ＴＥＬ」又は「ＰＵＢ」などの文字を表示することとして、両者を区別してもよい。
【００７６】
また、上記の実施例では、通話経路パターンがパターンＢの場合とパターンＤの場合を区別することなく、いずれの場合も同一のＩＰ電話通話表示を行っている。その代わりに、両者を区別してＩＰ電話通話表示を行うこととしてもよい。例えば、パターンＢのときは通常のＩＰ電話通話を示す表示として「ＩＰ」の文字を表示部１１２に表示し、パターンＤのときは無料通話を示す表示として「ＦＲＥＥ」の文字を表示部１１２に表示することとしてもよい。
【００７７】
なお、上記の実施例では、コードレス電話機の親機からＩＰ網に接続するためにＩＰ電話対応のＡＤＳＬモデムを使用しているが、本発明では、テレフォンアダプタその他の各種のＩＰ電話対応機器を用いてＩＰ網と接続することができる。
【図面の簡単な説明】
【００７８】
【図１】本発明の実施例に係るコードレス電話機の全体構成を模式的に示す。
【図２】親機の概略構成を示すブロック図である。
【図３】子機の概略構成を示すブロック図である。
【図４】本発明の実施例によるコードレス電話の構成を示す機能ブロック図である。
【図５】ＩＰ網及び電話回線網を利用した通話経路の例を示す図である。
【図６】ＡＤＳＬモデムを介した通話経路の例を示す図である。
【図７】通話経路の各パターンにおけるトーン信号波形例を示す波形図である。
【図８】通話経路パターンの判別処理のフローチャートである。
【図９】図８の判別処理における周期計測処理のフローチャートである。
【図１０】親機から子機への通知処理のフローチャートである。
【符号の説明】
【００７９】
６、２１  アンテナ  １００  コードレス電話機
１０３  電話回線網
１０５  ＩＰ網
１１０ａ  親機
１１０ｂ  子機
１１１ａ、１１１ｂ  主制御部
１１２ａ、１１２ｂ  表示部
１１３ａ、１１３ｂ  操作部
１１４ａ、１１４ｂ  無線部
１１５ａ  記憶部
１１６ａ  回線インターフェース
１１７ａ  トーン信号検出部
１１８ａ  タイマー部
２０４  ＡＤＳＬモデム
【図１】
2005333330.tif 000003
【図２】
2005333330.tif 000004
【図３】
2005333330.tif 000005
【図４】
2005333330.tif 000006
【図５】
2005333330.tif 000007
【図６】
2005333330.tif 000008
【図７】
2005333330.tif 000009
【図８】
2005333330.tif 000010
【図９】
2005333330.tif 000011
【図１０】
2005333330.tif 000012